(57)【要約】      （修正有）【課題】美容における顔面等のマッサージや刺激および血行促進をはかるのに利用できる美顔用ローラ器具を提供する。【解決手段】把手部２の一端部に回転して顔面に接触自在の筒状のローラ３を着脱可能に装着するとともに、ローラ３に加熱部５を内装している。ローラ３にホルミシスイオンを放射する希土類元素を含有する凸部１１を有するシート１２を被覆することが好ましく、またホルミシスイオンを放射する希土類元素を耐熱性樹脂材に練り込んでローラ３を形成することもできる。【選択図】図１
0003166055.tif 000002
【実用新案登録請求の範囲】
【請求項１】
把手部の一端部に回転して顔面に接触自在の筒状のローラを着脱可能に装着するとともに、ローラに加熱部を内装してローラを加熱可能に形成したことを特徴とする美顔用ローラ器具。
【請求項２】
把手部の一端部から突き出して上記ローラの中心軸部に電気ヒータの加熱部を内設してローラを加熱可能に形成した請求項１に記載の美顔用ローラ器具。
【請求項３】
ローラに発熱材または加熱した蓄熱材ないし保熱材の加熱部を内装してローラを加熱可能に形成した請求項１に記載の美顔用ローラ器具。
【請求項４】
ローラにホルミシスイオンを放射する希土類元素を含有する凸部を有するシートを被覆した請求項１ないし３のいずれかに記載の美顔用ローラ器具。
【請求項５】
ホルミシスイオンを放射する希土類元素を耐熱性樹脂材に練り込んでローラを形成した請求項１ないし３のいずれかに記載の美顔用ローラ器具。
【請求項６】
ホルミシスイオンを放射する希土類元素を含有するシートを被覆したローラ、ホルミシスイオンを放射する希土類元素を耐熱性樹脂材に練り込んだローラ、または外周面にゲルマニュウムの突起部を配設したローラ、ないし外周面にチタンの粒子を配設したローラまたはチタンのローラ、枇杷葉や桑葉のもぐさで形成したシートを被覆したローラのいずれかのローラを交換可能に形成した請求項１ないし３のいずれかに記載の美顔用ローラ器具。
【考案の詳細な説明】
【技術分野】
【０００１】
本考案は、美容、健康分野における美顔用ローラ器具に関するものである。
【背景技術】
【０００２】
最近、ゲルマニュウムやチタンのボールや粒を取り付けたローラを顔面に転動して、顔面をマッサージや刺激をして血行を促進する健康器具が市販されたり、特開２００５−２４５８２号公報や実用新案登録第３１０９８９６号公報等のように提案されている。
【考案の開示】
【考案が解決しようとする課題】
【０００３】
これらは、ローラを顔面等の皮膚面に転動して皮膚面をマッサージ効果や刺激効果および血行促進効果を生じるものの、夏場等の暑い時期にはさほど違和感を生じないものの、冬場等の寒い時期には顔面に冷たく接触してかなりの違和感を生じて使用に抵抗感が生じる。また、ゲルマニュウムやチタンによる効果を奏するものの、常温なので効果が乏しく、より効果を発揮することが課題であった。
【課題を解決するための手段】
【０００４】
本考案は、上記のような点に鑑みたもので、上記の課題を解決するために、実用新案登録請求の範囲の請求項１のように、把手部の一端部に回転して顔面に接触自在の筒状のローラを着脱可能に装着するとともに、ローラに加熱部を内装してローラを加熱可能に形成したことを特徴とする美顔用ローラ器具を提供するにある。
【０００５】
また、請求項２のように、把手部の一端部から突き出して上記ローラの中心軸部に電気ヒータの加熱部を内設してローラを加熱可能に形成したことを特徴とする美顔用ローラ器具を提供するにある。
【０００６】
また、請求項３のように、ローラに発熱材または加熱した蓄熱材ないし保熱材の加熱部を内装してローラを加熱可能に形成したことを特徴とする美顔用ローラ器具を提供するにある。
【０００７】
また、請求項４のように、ローラにホルミシスイオンを放射する希土類元素を含有する凸部を有するシートを被覆したことを特徴とする美顔用ローラ器具を提供するにある。
【０００８】
さらに、請求項５のように、ホルミシスイオンを放射する希土類元素を耐熱性樹脂材に練り込んでローラを形成したことを特徴とする美顔用ローラ器具電気温灸器を提供するにある。
【０００９】
さらに、請求項６のように、ホルミシスイオンを放射する希土類元素を含有するシートを被覆したローラ、ホルミシスイオンを放射する希土類元素を耐熱性樹脂材に練り込んだローラ、または外周面にゲルマニュウムの突起部を配設したローラ、ないし外周面にチタンの粒子を配設したローラまたはチタンのローラ、枇杷葉や桑葉のもぐさで形成したシートを被覆したローラのいずれかのローラを交換可能に形成したことを特徴とする美顔用ローラ器具を提供するにある。
【考案の効果】
【００１０】
本考案の美顔用ローラ器具は、実用新案登録請求の範囲の請求項１のように、把手部の一端部に回転して顔面に接触自在の筒状のローラを着脱可能に装着するとともに、ローラに加熱部を内装してローラを加熱可能に形成したことによって、所要のローラを把持部の一端部に装着して把手部をもって顔面の皮膚面を転動してマッサージをしたり、刺激を与えられるとともに、ローラに内装した加熱部でローラを加熱できて、顔面の皮膚面を温熱で行うことができる。そのため、寒冷期等であっても、違和感なく、気持ち良く顔面等の皮膚面をマッサージをしたり、刺激を与えられる。
【００１１】
また、請求項２のように、把手部の一端部から突き出して上記ローラの中心軸部に電気ヒータの加熱部を内設してローラを加熱可能に形成したことによって、ローラの中心軸部に内設したヒータの加熱部でローラを加熱できて、上記のように顔面の皮膚面を温熱で行うことができ、寒冷期等であっても、違和感なく、気持ち良く顔面等の皮膚面をマッサージをしたり、刺激を与えられる。
【００１２】
さらに、請求項３のように、ローラに発熱材または加熱した蓄熱材ないし保熱材の加熱部を内装してローラを加熱可能に形成したことによって、ローラに発熱材または加熱した蓄熱材ないし保熱材の加熱部を内装してローラを加熱できて、上記のように顔面の皮膚面を温熱で行うことができ、寒冷期等であっても、違和感なく、気持ち良く顔面等の皮膚面をマッサージをしたり、刺激を与えられる。
【００１３】
また、請求項４のように、ローラにホルミシスイオンを放射する希土類元素を含有する凸部を有するシートを被覆したことによって、ホルミシスイオンの放射作用で身体の生理的活性がはかれ、健康増進がはかれるとともに、特に温熱であることで温泉と同様にホルミシス効果を格段に増進することができる。また、ローラの転動と同時にシートの凸部によって、経穴押圧効果を奏するようにできる。
【００１４】
さらに、請求項５のように、ホルミシスイオンを放射する希土類元素を耐熱性樹脂材に練り込んでローラを形成したことによって、ローラを大量生産することが容易となり、装置の価格を低減できて、上記のように作用効果を奏するようにできる。
【００１５】
さらに、請求項６のように、ホルミシスイオンを放射する希土類元素を含有するシートを被覆したローラ、ホルミシスイオンを放射する希土類元素を耐熱性樹脂材に練り込んだローラ、または外周面にゲルマニュウムの突起部を配設したローラ、ないし外周面にチタンの粒子を配設したローラまたはチタンのローラ、枇杷葉や桑葉のもぐさで形成したシートを被覆したローラのいずれかのローラを交換可能に形成したことによって、状況によってこれらのいずれかを選択して温熱によるホルミシス効果、ゲルマニュウム効果、チタン効果、枇杷葉もぐさ効果等の相乗効果をはかることができる。
【図面の簡単な説明】
【００１６】
【図１】本考案の一実施例の側断面図、
【図２】同上のローラ装着部の断面図、
【図３】同上のローラ部の正面図、
【図４】同上の他の実施例のローラ部の正面図、
【図５】同上のさらに他の実施例の側断面図、
【図６】同上のさらに他の実施例の一部省略した側断面図、
【図７】同上のさらに他の実施例のローラ部の側面図。
【考案を実施するための形態】
【００１７】
本考案の美顔用ローラ器具は、把手部の一端部に回転して顔面に接触自在の筒状のローラを着脱可能に装着するとともに、ローラに加熱部を内装してローラを加熱可能に形成したことを特徴としている。
【００１８】
美顔用ローラ器具１は、図１のように把手部２の先端部である一端部に筒状のローラ３を軸受部４に嵌合して装着していて、把手部２をもって顔面の皮膚面にローラ３を転動可能に形成している。
【００１９】
把手部２は、軽量のアルミニゥム等の軽金属材や耐熱性の合成樹脂材で形成でき、その先端側である一端部に図１のように細棒状のセラミックヒータやシーズヒータの加熱部５を前方へ突き出してその後部を断熱材６等を介して装着し、美顔用ローラ器具１の後端部にＤＣ電源の電源コード７を挿入してスイッチ８で入切可能に、かつサーモスタット等の温度制御器９やタイマー等を介して加熱部５を４０〜６０℃の温度に加熱可能に電気接続している。必要により、図１のように充電可能の電池１０を内装し、携帯して加熱部５で加熱するようにもできる。
【００２０】
このように形成した把手部２の先端部には、図１、図２のように所要径の軸受部４を上記した断熱材６等に装着して配設し、この軸受部４の外周部にローラ３の筒状の後端部を嵌入してローラ３を回転自在としている。軸受部４の外径は、ローラ３の筒状の後端部の内径に嵌合するもので、後述のように着脱可能な寸法割合とすることが好ましい。
【００２１】
ローラ３は、軽量のアルミニゥム等の軽金属材や耐熱性の合成樹脂材で図１のように一端部が開口した筒状に形成していて、その外周面に図１〜図３のようにホルミシスイオンを放射する希土類元素を含有する凸部１１を有するシート１２を被覆し、ホルミシスイオンの放射作用で身体の生理的活性がはかれ、健康増進がはかれるとともに、シート１２の凸部１１によって経穴押圧効果を奏するようにすることか好ましい。特に、温熱であることで、温泉と同様にホルミシス効果を格段に増大することができる。
【００２２】
上記把手部２は、握りやすい１０〜２０ｍｍ径、好ましくは１０〜１５ｍｍ径、長さは８０〜１２０ｍｍ、好ましくは５０〜１００ｍｍ、ローラ３は把手部２とほぼ同径またはやや太い径で、長さは５０〜１００ｍｍ、好ましくは５０〜８０ｍｍとすることができる。
【００２３】
ローラ３は、把手部２に着脱可能に装着し、ホルミシスイオンを放射する希土類元素を含有するシート１２を被覆したローラ（上記のように凸部１１を備えることもできる）、ホルミシスイオンを放射する希土類元素を耐熱性樹脂材に練り込んだローラ、また図４のように外周面にゲルマニュウムの突起部１３を配設したローラ、さらに外周面にチタンの粒子を配設したローラまたはチタンのローラ、さらに枇杷葉や桑葉のもぐさで形成したシートを被覆したローラ等のいずれかを交換可能に形成することが好ましく、身体の状況によってこれらのいずれかまたは複数を選択して、ホルミシス効果、ゲルマニュウム効果、チタン効果、枇杷葉や桑葉のもぐさ効果等の相乗効果をはかることができる。特に、温熱であることで、上記の効果を格段に増大することができる。
【００２４】
また、図５のように把手部２に突き出した細棒状のセラミックヒータの加熱部５のまわりに筒状の熱伝導性の保護筒１４を装着し、細棒状のセラミックヒータの加熱部５を保護するようにすることが好ましい。また、筒状の熱伝導性の保護筒１４によってローラ３に均一に熱伝達することができ、均一に温熱するようにできる。保護筒１４は、良熱伝導性で、軽量のアルミニゥム等の軽金属材や銅材で、薄い筒、金網の筒、パンチ開孔の筒等とすることができる。
【００２５】
また、図６のようにローラ５の内側に、使い捨てカイロに用いられているような鉄粉と酸化促進剤を含む発熱材を不織布で棒状に包袋状とし、加熱して蓄熱するジェルや水等の液状体の蓄熱材や保熱材等を棒状に封入シートに封入した加熱部５として、これらを交換可能や挿脱可能に装着し、前記のように電気を利用しなくても、ローラ３に均一に熱伝達するようにして均一に顔面の皮膚面を温熱で行うことができる。加熱して蓄熱するジェルや水等の液状体の蓄熱材や保熱材等を棒状に封入シートに封入した加熱部５では、繰り返して加熱して使用することができ、経済的である。この場合、図示のように加熱部５の端部にタブ状や紐等の取り出し手段１５を設けておくのが好ましい。
【００２６】
なお、上記では、ローラ３を円筒状のものとしたが、図７のように６角形や８角形、１０角形等の多角形状の筒状体とするなど、上記した本考案の趣旨にもとづいて適宜の実施態様を採択することができる。
【実施例】
【００２７】
図１〜図３は、本考案の一実施例を示すものである。美顔用ローラ器具１は、図１のように把手部２の先端部である一端部に筒状のローラ３を軸受部４に着脱可能に嵌合して装着し、把手部２をもって顔面の皮膚面にローラ３を転動可能に形成している。
【００２８】
把手部２は、軽量のアルミニゥム材で、１５ｍｍ径、長さを１００ｍｍの筒状体とし、その先端側に図１のように細棒状の５０ｍｍ長さのセラミックヒータの加熱部５をその後部をセラミックスの断熱材６を介して中心軸部に装着し、美顔用ローラ器具１の後端部にＤＣ電源の電源コード７を挿入してスイッチ８で入切可能に、かつサーモスタットの温度制御器９を介して加熱部５を４２〜５０℃の温度に加熱可能に電気接続し、電池１０を内装して充電可能にヒータ５を電源を切ったときでも加熱できるようにしている。
【００２９】
ローラ３は、軽量のアルミニゥム材とし、把手部２とほぼ同径で、長さは８０ｍｍとし、その外周面に図１〜図３のようにホルミシスイオンを放射する希土類元素を含有する凸部１１を設けたシート１２で被覆している。
【００３０】
上記美顔用ローラ器具１に電源を接続して電源コード７を介してＤＣ電源を供給し、スイッチ８を入れると、細棒状のセラミックヒータの加熱部５でローラ３を４２〜５０℃の温度に加熱し、把手部２をもって顔面を転動すると、顔面を温熱でマッサージしたり、刺激を与えられ、違和感なく、気持ち良く顔面をマッサージをしたり、刺激を与えられ、リンパの働きをよくし、血行促進をはかれる。必要により、その他の皮膚にも使用できる。
【００３１】
特に、ローラ３にホルミシスイオンを放射する希土類元素を含有する凸部１１を有するシート１２を被覆することによって、ホルミシスイオンの放射作用で身体の生理的活性がはかれ、健康増進がはかれるとともに、シート１２の凸部１１によって経穴押圧効果を奏するようにできる。特に、温熱であることで、温泉と同様にホルミシス効果を格段に増進することができる。
【００３２】
また、ローラ３は、ホルミシスイオンを放射する希土類元素を耐熱性樹脂材に練り込んで形成することができ、ローラ３の大量生産することが容易となり、装置の価格を低減できて、上記のように作用効果を奏するようにできる。
【００３３】
さらに、ローラ３は、上記のようにホルミシスイオンを放射する希土類元素を含有するシート１２を被覆したローラ、ホルミシスイオンを放射する希土類元素を耐熱性樹脂材に練り込んだローラ、また図４のように外周面にゲルマニュウムの突起部１３を配設したローラ、さらに外周面にチタンの粒子を配設したローラやチタンのローラ、さらに枇杷葉や桑葉のもぐさで形成した含浸シートを被覆したローラ等を交換可能に形成することが好ましく、身体の状況によってこれらのいずれか、または複数を選択して温熱による格別のホルミシス効果、ゲルマニュウム効果、チタン効果、枇杷葉もぐさ効果等の相乗効果をはかることができる。
【００３４】
図５は、本考案の他の実施例を示すもので、把手部２に細棒状のセラミックヒータの加熱部５を突き出して配設するとともに、この細棒状のセラミックヒータの加熱部５のまわりにパンチ開孔の筒状の熱伝導性のアルミニゥムの保護筒１４を設けたものである。本実施例では、細棒状のセラミックヒータの加熱部５を保護筒１４によって保護できるとともに、筒状の熱伝導性の保護筒１４によってローラ３に均一に熱伝達することができ、均一に温熱することができる。
【００３５】
また、図６のようにローラ５の内側に、加熱して蓄熱するジェルの蓄熱材を棒状に封入シートに封入した加熱部５を挿脱可能に装着するようにし、ローラ３に均一に熱伝達するようにして均一に顔面の皮膚面を温熱で行うことができる。本実施例では、加熱部５を繰り返して加熱して使用することができ、経済的である。
【００３６】
上記では、顔面のマッサージや刺激について説明したが、手、脚、足、頭、首、耳、その他の身体の他の部分の皮膚面についても、利用することができ、また必要により把手部を所要の角度に折曲するようにもできる
【産業上の利用可能性】
【００３７】
本考案は、美容、健康分野における特に顔面、必要により、手、足等の身体の皮膚面のマッサージや刺激および血行促進用に利用することができる。
【符号の説明】
【００３８】
１…美顔用ローラ器具    ２…把手部      ３…ローラ    ５…加熱部    １１…凸部１２…シート            １３…突起部    １４…保護筒
【先行技術文献】
【特許文献】
【００３９】
【特許文献１】特開２００５−２４５８２号公報
【特許文献２】実用新案登録第３１０９８９６号公報
【図１】
0003166055.tif 000003
【図２】
0003166055.tif 000004
【図３】
0003166055.tif 000005
【図４】
0003166055.tif 000006
【図５】
0003166055.tif 000007
【図６】
0003166055.tif 000008
【図７】
0003166055.tif 000009